(57)【要約】【課題】  被空調環境内の快適性（ＰＭＶ値）を意識しつつ、空調機の運転負荷を可及的に低減可能な空調システムを提供する。【解決手段】  空調システムＳは、工場建屋１０内の室内空間１００を冷房又は暖房する空調機２０と、前記室内空間１００において人が存在する領域へスポット領域Ｋに空気流を供給する送風機構３０とを備える。送風機構３０は、少なくとも夏季用の空気流発生条件で送風を行わせる冷気吹き出しダクト３３１及びファンネルノズル３４１と、冬季用の空気流発生条件で送風を行わせる暖気吹き出しダクト及び指向性ノズル３４２とを備えている。前記ファンネルノズル３４１及び指向性ノズル３４２から吹き出される空気流の風速等は、当該室内空間１００において予め把握されたＰＭＶ値に基づいて決定される。【選択図】      図１
2006125754.tif 000002
【特許請求の範囲】
【請求項１】
室内空間を冷房又は暖房する空調機と、前記室内空間において人が存在する領域へスポット的に空気流を生じさせる送風を行う送風機構とを備える空調システムであって、
前記送風機構は、予め把握された前記室内空間におけるＰＭＶ値に基づいて、発生する空気流の性質を制御する制御機構を備えていることを特徴とする空調システム。
【請求項２】
室内空間を冷房又は暖房する空調機と、前記室内空間において人が存在する領域へスポット的に空気流を生じさせる送風を行う送風機構とを備える空調システムであって、
前記送風機構は、前記室内空間のＰＭＶ値を計測するセンサと、前記センサにより計測された前記室内空間におけるＰＭＶ値に基づいて、発生する空気流の性質を制御する制御機構とを備えていることを特徴とする空調システム。
【請求項３】
前記制御機構は、送風機構が発生する空気流の風速を設定する風速設定部を備え、
前記風速設定部は、前記送風機構による送風を考慮しない第１の室内環境条件における第１のＰＭＶ値と、人が存在する領域へのスポット的な送風を考慮した第２の室内環境条件における第２のＰＭＶ値とを対比し、
前記第１のＰＭＶ値に対する前記第２のＰＭＶ値の改善度合いに基づいて空気流の風速を設定することを特徴とする請求項１又は２記載の空調システム。
【請求項４】
室内空間を冷房又は暖房する空調機と、前記室内空間において人が存在する領域へスポット的に空気流を生じさせる送風を行う送風機構とを備える空調システムであって、
前記送風機構は、少なくとも第１の空気流発生条件で送風を行わせる第１の送風モードと、前記第１の空気流発生条件とは発生条件を異ならせた第２の空気流発生条件で送風を行わせる第２の送風モードとを選択可能とする制御機構を備えていることを特徴とする空調システム。
【請求項５】
前記第１の送風モードと第２の送風モードとは、季節要因に応じて選択されるものであり、
送風機構は、第１の送風モードでの送風を行わせる第１の送風ノズルと、第２の送風モードでの送風を行わせる第２の送風ノズルとを備え、
前記第１の送風ノズルと第２の送風ノズルとは、空気吹き出し条件が異なるものとされていることを特徴とする請求項４記載の空調システム。
【請求項６】
前記第１の送風モードは夏季に、前記第２の送風モードは冬季に選択されるものであって、
前記第１の送風ノズルは、スポット的に空気流を生じさせる領域の比較的近傍部から広角的な空気吹き出しを行うノズルとされ、
前記第２の送風ノズルは、スポット的に空気流を生じさせる領域の比較的遠隔部から指向性の高い空気吹き出しを行うノズルとされていることを特徴とする請求項５記載の空調システム。
【請求項７】
前記第１の空気流発生条件及び第２の空気流発生条件は、前記室内空間において予め把握されたＰＭＶ値に基づいて決定されることを特徴とする請求項４〜６のいずれかに記載の空調システム。
【請求項８】
前記第１の空気流発生条件及び第２の空気流発生条件は、前記室内空間に配置されたＰＭＶ値を計測するセンサにより計測されたＰＭＶ値に基づいて決定されることを特徴とする請求項４〜６のいずれかに記載の空調システム。
【発明の詳細な説明】
【技術分野】
【０００１】
本発明は、室内空間を冷房又は暖房する空調機を備える空調システムに関し、特に工場内における空調において、ＰＭＶ解析手法を活用することで省エネルギー運転を行うことができる空調システムに関する。  
【背景技術】
【０００２】
一般に工場内等の大規模空間内における空調は、冷房又は暖房を行う空調機の動作と換気動作との組み合わせで専ら空気調和が図られている。前記空調機の動作は、工場内作業者等の温冷感覚によってマニュアル調整されるか、予め空調機の温度設定を行い工場内に設置された温度センサの感温結果に基づいてオート調整されている。また排気動作は、機械給気及び機械排気、或いは自然給排気と機械給気又は機械排気のいずれかとの組み合わせで実行されている。このような工場内空調においては、快適性の評価基準とも言えるＰＭＶ（Predicted  Mean  Vote：予測平均温冷感）値は特段考慮されていない。なおＰＭＶとは、気温、湿度、放射温度、風速、着衣量、代謝量の６要素に依拠する人体と環境の熱方程式に基づいて求められる、「暑い」又は「寒い」といった熱的な主観の平均的な予測評価値である。
【０００３】
一方、オフィス等の比較的狭所空間向けの空調システムとして、空調機自身をＰＭＶ値に基づいて制御するシステムが知られている（例えば特許文献１〜４）。このようなＰＭＶ制御方式の空調システムは、被空調空間内のＰＭＶ値を計測するセンシング要素を設置し、そのセンシング結果に基づいて空調機の動作を制御するものである。
【特許文献１】特開平５−７１７９３号公報
【特許文献２】特開平７−２２８１２５号公報
【特許文献３】特開２０００−２９１９９０号公報
【特許文献４】特開２００１−４１５３１号公報
【発明の開示】
【発明が解決しようとする課題】
【０００４】
工場等においては、建物や生産ラインの拡張、人員増減により熱環境が変化し、工場建設当初の給排気（換気）バランスが崩れている場合が多い。すなわち、空調機及び換気装置は、工場建設当初の設備・人員レイアウトに基づいて設置されているが、工場内環境は経年変化することから、当初の設計通りの給排気バランスが維持できない状態となることがある。給排気バランスが崩れた場合、本来の換気・空調機能が果たせなくなり、効果的な空調が行えなくなるという不都合がある。この結果、空調機の効率的な運転ができなくなり、作業者等に暑さ又は寒さを強いることでしか、省エネルギーを達成できないという問題があった。
【０００５】
そこで、特許文献１〜４に開示されているようなＰＭＶ制御機能を、工場内に配置されている空調機に具備させた空調システムとすることが考えられる。しかしながら、空調機本体をＰＭＶ制御するな空調システムでは、十分な省エネルギー効果を得ることは困難である。すなわち、結局は理想的なＰＭＶ値に室内空間が空調されるよう当該空調機が駆動されることとなるので、空調負荷を軽減することにはならないからである。
【０００６】
従って本発明は、上記問題点に鑑み、被空調環境内（工場内）の快適性（ＰＭＶ値）を意識しつつ、空調機の運転負荷を可及的に低減可能な空調システムを提供することを目的とする。
【課題を解決するための手段】
【０００７】
本発明の請求項１にかかる空調システムは、室内空間を冷房又は暖房する空調機と、前記室内空間において人が存在する領域へスポット的に空気流を生じさせる送風を行う送風機構とを備える空調システムであって、前記送風機構は、予め把握された前記室内空間におけるＰＭＶ値に基づいて、発生する空気流の性質を制御する制御機構を備えていることを特徴とする。
【０００８】
この構成によれば、冷房又は暖房の直接的な空調動作を行う空調機に、スポット的な空気流を生じさせ補助的な空調動作を行う送風機構を付設したので、空調機による空調能力の不足分を送風機構にて与えられる空気流で補わせることができ、空調機の運転負荷を軽減できるようになる。しかも、前記送風機構が発生する空気流の性質が、予めＰＭＶ診断を行う等して把握した、被空調環境である室内空間のＰＭＶ値に基づいて制御されるようにしたので、ＰＭＶ値を意識した快適な空調を提供できるようになる。
【０００９】
本発明の請求項２にかかる空調システムは、室内空間を冷房又は暖房する空調機と、前記室内空間において人が存在する領域へスポット的に空気流を生じさせる送風を行う送風機構とを備える空調システムであって、前記送風機構は、前記室内空間のＰＭＶ値を計測するセンサと、前記センサにより計測された前記室内空間におけるＰＭＶ値に基づいて、発生する空気流の性質を制御する制御機構とを備えていることを特徴とする。
【００１０】
この構成によれば、冷房又は暖房の直接的な空調動作を行う空調機に、スポット的な空気流を生じさせ補助的な空調動作を行う送風機構を付設したので、空調機による空調能力の不足分を送風機構にて与えられる空気流で補わせることができ、空調機の運転負荷を軽減できるようになる。しかも、前記送風機構が発生する空気流の性質が、被空調環境である室内空間のＰＭＶ値を計測するセンサにより計測された前記室内空間におけるＰＭＶ値に基づいて制御されるようにしたので、室内空間における現況ＰＭＶ値を意識した快適な空調を提供できるようになる。
【００１１】
上記構成において、制御機構は、送風機構が発生する空気流の風速を設定する風速設定部を備え、前記風速設定部は、前記送風機構による送風を考慮しない第１の室内環境条件における第１のＰＭＶ値と、人が存在する領域へのスポット的な送風を考慮した第２の室内環境条件における第２のＰＭＶ値とを対比し、前記第１のＰＭＶ値に対する前記第２のＰＭＶ値の改善度合いに基づいて空気流の風速を設定する構成とすることができる（請求項２）。この構成によれば、空調機のみにて空調を行った場合のＰＭＶ値である第１のＰＭＶ値と、空調機による空調動作に加え、人が存在する領域へのスポット的な送風を考慮した第２のＰＭＶ値とを比較し、例えばスポット的な送風によるＰＭＶ値の改善効果をシミュレートした上で、風速設定部により最適な空気流の風速を設定することができる。
【００１２】
本発明の請求項４にかかる空調システムは、室内空間を冷房又は暖房する空調機と、前記室内空間において人が存在する領域へスポット的に空気流を生じさせる送風を行う送風機構とを備える空調システムであって、前記送風機構は、少なくとも第１の空気流発生条件で送風を行わせる第１の送風モードと、前記第１の空気流発生条件とは発生条件を異ならせた第２の空気流発生条件で送風を行わせる第２の送風モードとを選択可能とする制御機構を備えていることを特徴とする。
【００１３】
この構成によれば、冷房又は暖房の直接的な空調動作を行う空調機に、スポット的な空気流を生じさせ補助的な空調動作を行う送風機構を付設したので、空調機による空調能力の不足分を送風機構にて与えられる空気流で補わせることができ、空調機の運転負荷を軽減できるようになる。しかも、空気流発生条件が互いに異なる第１及び第２の送風モードが少なくとも選択可能にされているので、被空調室内に対してより適合的な空気流発生条件で、送風機構による補助的な空調動作を行わせることができるようになる。
【００１４】
上記構成において、前記第１の送風モードと第２の送風モードとは、季節要因に応じて選択されるものであり、送風機構は、第１の送風モードでの送風を行わせる第１の送風ノズルと、第２の送風モードでの送風を行わせる第２の送風ノズルとを備え、前記第１の送風ノズルと第２の送風ノズルとは、空気吹き出し条件が異なるよう構成することができる（請求項５）。この構成によれば、空気流発生条件を異ならせる態様として、空気吹き出し条件が異なる第１及び第２の送風ノズルを準備し、季節に応じて第１の送風ノズル又は第２の送風ノズルからスポット的な空気流を生じさせるようにしたので、空気流発生条件を簡易に変更でき、制御機構を簡素化することができる。
【００１５】
このような構成において、前記第１の送風モードは夏季に、前記第２の送風モードは冬季に選択されるものであって、前記第１の送風ノズルは、スポット的に空気流を生じさせる領域の比較的近傍部から広角的な空気吹き出しを行うノズルとされ、前記第２の送風ノズルは、スポット的に空気流を生じさせる領域の比較的遠隔部から指向性の高い空気吹き出しを行うノズルとする構成を採用することができる（請求項６）。この構成によれば、夏季にあっては暖気が滞留しがちな室内上層部を避けて、人が存在する領域に対して、その近傍部位から拡散的な空気流が供給される。また冬季にあっては比較的遠隔部から指向性の高い空気流が発生されることで、室内上層部に存在する暖気を誘引しつつ、人が存在する領域に対して空気流が供給されるようになる。
【００１６】
上記請求項４〜６のいずれかの構成において、第１の空気流発生条件及び第２の空気流発生条件は、前記室内空間において予め把握されたＰＭＶ値に基づいて決定される構成とすることが望ましい（請求項７）。この構成によれば、ＰＭＶ値を意識した快適な空調を提供できるようになる。
【００１７】
また、上記請求項４〜６のいずれかの構成において、前記第１の空気流発生条件及び第２の空気流発生条件は、前記室内空間に配置されたＰＭＶ値を計測するセンサにより計測されたＰＭＶ値に基づいて決定される構成とすることが望ましい（請求項８）。この構成によれば、室内空間における現状のＰＭＶ値を逐次把握しつつ、そのＰＭＶ値を意識した快適な空調を提供できるようになる。
【発明の効果】
【００１８】
請求項１にかかる空調システムによれば、送風機構の付設によりスポット的な空気流を生じさせることで、例えば夏季にあっては被空調室内に存在する人の体感温度を下げ、また冬季にあっては室内上層部に存在する暖気を対流させ暖房効率を向上させ得るので、もって空調機の負荷を軽減させることが可能となり省エネルギー化を図ることができる。また、送風機構により発生される空気流は、予め把握された室内空間のＰＭＶ値に基づいて制御されるようにしたので、例えば工場内環境が経年変化したとしてもＰＭＶ診断を適宜に実施することで現況にマッチした空調環境を提供できるようになる。また、空調機自身をＰＭＶ制御する場合に比べて簡易かつ安価に、ＰＭＶ値を意識した快適な空調を提供できるようになる。
【００１９】
請求項２にかかる空調システムによれば、送風機構の付設によりスポット的な空気流を生じさせることで、例えば夏季にあっては被空調室内に存在する人の体感温度を下げ、また冬季にあっては室内上層部に存在する暖気を対流させ暖房効率を向上させ得るので、もって空調機の負荷を軽減させることが可能となり省エネルギー化を図ることができる。また、送風機構により発生される空気流は、被空調環境である室内空間のＰＭＶ値を計測するセンサにより計測された前記室内空間におけるＰＭＶ値に基づいて制御されるようにしたので、例えば工場内環境が経年変化した場合だけでなく、その日の気象条件により工場内環境が刻々変化した場合でも、現況にマッチした空調環境を提供できるようになる。また、空調機自身をＰＭＶ制御する場合に比べて簡易かつ安価に、ＰＭＶ値を意識した快適な空調を提供できるようになる。
【００２０】
請求項３にかかる空調システムによれば、例えばスポット的な送風によるＰＭＶ値の改善効果をシミュレートした上で、風速設定部により最適な空気流の風速を設定することができるので、空調機の負荷をより一層効率的に軽減することが可能となり、省エネルギー効果をより高めることが可能となる。
【００２１】
請求項４にかかる空調システムによれば、送風機構の付設により空調機の運転負荷が軽減されると共に、被空調室内に対してより適合的な空気流発生条件で、送風機構による補助的な空調動作を行わせることができるので、省エネルギー化及び快適な空調空間の提供を図ることができる。
【００２２】
請求項５にかかる空調システムによれば、第１の送風ノズル又は第２の送風ノズルから選択的にスポット的な空気流を生じさせ得るようにしたので、空気流発生条件を簡易に変更でき、制御機構を簡素化することができることから、設備費用を抑制することができるようになる。
【００２３】
請求項６にかかる空調システムによれば、夏季にあっては人が存在する領域の近傍部位から拡散的な空気流が供給される構成であるので、暖気が滞留しがちな室内上層部において熱の影響を受けずに空気流を供給でき、効果的に体感温度を低下させることができるようになる。また冬季にあっては、比較的遠隔部から指向性の高い空気流が発生されることで、室内上層部に存在する暖気を誘引しつつ、人が存在する領域に対して空気流が供給されるので、滞留暖気を効果的にスポット領域へ供給できるようになる。従って、いずれの季節においても、極めて効率的に空調機の負荷を軽減させることができる。
【００２４】
請求項７にかかる空調システムによれば、ＰＭＶ値を意識した快適な空調を提供できるので、省エネルギー化及び快適な空調空間の提供を一層効果的に図ることができるという効果を奏する。
【００２５】
請求項８にかかる空調システムによれば、室内空間における現状のＰＭＶ値を逐次把握しつつ、そのＰＭＶ値を意識した空調を提供できるようになるので、一層快適な空調を行うことが可能となる。
【発明を実施するための最良の形態】
【００２６】
（第１実施形態）
以下、図面に基づいて、本発明の一実施形態にかかる空調システムにつき詳細に説明する。図１は、工場建屋１０内における大規模な室内空間１００に、本発明にかかる空調システムＳを適用する場合の構成を模式的に示す図である。この空調システムＳは、工場建屋１０内の室内空間１００を冷房又は暖房する空調機２０と、前記室内空間１００において人が存在する領域（スポット領域Ｋ）へスポット的に空気流を生じさせる送風を行う送風機構３０と、室内空間１００の換気を行う換気機構４０とを備えている。
【００２７】
空調機２０は、工場建屋１０の床面１４上に設置され、暖房用の暖気又は冷房用の冷気を生成して、被空調空間である室内空間１００内へ直接的に、或いはダクト等を介して間接的に供給するものである。この空調機２０としては、工場内空調機器として市販されている大容量型の各種空調機器を用いることができ、例えば水冷又は空冷ヒートポンプ型空調機などを用いることができる。なお空調機２０は、温度センサ２１を備えており、室内空間１００の温度状況に応じて負荷調整（温度設定）が可能とされている。
【００２８】
送風機構３０は、送風ファン３１，風速制御部（風速設定部）３２、吹き出しダクト３３，夏用給気ダクト３５，冬用給気ダクト３６，送気ダクト３７及び供給ダクト３８等を備えて構成されている。また、吹き出しダクト３３は、冷気吹き出しダクト３３１及びその先端側に配置されたファンネルノズル（第１の送風ノズル）３４１と、暖気吹き出しダクト３３２及びその先端に配置された指向性ノズル（第２の送風ノズル）３４２とを備えている。
【００２９】
送風ファン３１は、前記スポット領域Ｋへ供給する空気流の生成源となるもので、回転翼を備えた各種タイプの送風ファンを用いることができる。なお、後述する通り夏季と冬季とでは最適な空気流速度は異なる（夏季は１〜２ｍ／ｓ程度、冬季は０．５ｍ／ｓ程度以下）ため、風量可変式の送風ファン（例えばインバータ制御式の送風ファン）が用いられる。風速制御部３２は、このような送風ファン３１による発生風量を、後述するＰＭＶ診断値や、吹き出しダクト３３のノズル形状若しくはノズル配置位置に応じて設定可能とするものである。
【００３０】
吹き出しダクト３３の冷気吹き出しダクト３３１は、夏季において室内空間１００の床面１４付近に沈降している冷気を取り入れて、スポット領域Ｋへ空気流として供給するためのもので、ロングタイプのダクトが用いられる。そして、この冷気吹き出しダクト３３１の先端側には、拡散的に気流を放射する（広角的な空気吹き出しを行う）ファンネルノズル３４１が取り付けられている。前記冷気吹き出しダクト３３１は、工場建屋１０の天井１２側から床面１４方向に、前記スポット領域Ｋへ向けて垂直方向に延在する態様で設置されており、また前記ファンネルノズル３４１は、前記スポット領域Ｋの比較的近傍部位上方から空気の吹き出しを行うようになっている。
【００３１】
一方、吹き出しダクト３３の暖気吹き出しダクト３３２は、冬季において室内空間１００の天井１２に滞留している暖気を取り入れて、スポット領域Ｋへ空気流として供給するためのもので、ショートタイプのダクトが用いられる。そして、この暖気吹き出しダクト３３２の先端側には、ジェット気流的な放射を行う（指向性の高い空気吹き出しを行う）指向性ノズル３４２が取り付けられている。かかる暖気吹き出しダクト３３２も、工場建屋１０の天井１２側から床面１４方向に、前記スポット領域Ｋへ向けて垂直方向に延在する態様で設置されているが、前記指向性ノズル３４２は、前記ファンネルノズル３４１の設置位置に比べて室内空間１００の高層部に配置されており、前記スポット領域Ｋに対して比較的遠隔部上方から空気の吹き出しを行うようになっている。
【００３２】
図２に簡易的な断面構造を示すように、冷気吹き出しダクト３３１と暖気吹き出しダクト３３２とは、天井１２側の端部において、吹出口切替弁３４４を内部に備えた分岐管３４３に接続されている。前記吹出口切替弁３４４は、図２に示すように、例えば回動軸３４４１にて回動可能に支持された弁体３４４２からなり、弁体３４４２の回動動作により冷気吹き出しダクト３３１若しくは暖気吹き出しダクト３３２のいずれかを閉止する構成のものを採用することができる。
【００３３】
このように、１つの吹き出しダクト３３は、冷気吹き出しダクト３３１、暖気吹き出しダクト３３２及び分岐管３４３から構成され、このような吹き出しダクト３３の複数が、人が作業する領域であるスポット領域Ｋに対応する位置に適宜設けられる。これら吹き出しダクト３３（分岐管３４３の根本部）は、天井１２面と水平方向に配置されている供給ダクト３８にマニホールド状に取り付けられており、前記供給ダクト３８を介して暖気若しくは冷気が各吹き出しダクト３３に供給されるよう構成されている。
【００３４】
夏用給気ダクト３５は長尺のダクトであって、天井１２側から床面１４へ向けて垂直方向に延在する態様で設置されている。該夏用給気ダクト３５は、その床面１４側の端部にエアインテーク３５２を備え、夏季において空調機２０の冷房動作によって冷やされた空気が取り入れ可能とされている。なお、エアインテーク３５２は、操業の邪魔にならない箇所に配置され、その開口部には騒音防止のためのサイレンサ３５２が取り付けられている。これに加え、前記開口部には塵埃等をフィルタリングする簡易フィルタを取り付けることが望ましい。
【００３５】
一方、夏用給気ダクト３５の天井１２側端部は、送風ファン３１の給気側に連通されている。さらに、夏用給気ダクト３５の内部には、当該ダクト内部における空気流の遮断を可能とするダンパ３５３が配置されている。従って、ダンパ３５３が「開」とされた状態において、送風ファン３１を稼働させて給気動作が行われると、前記エアインテーク３５２を介して、床面１４付近の冷気が夏用給気ダクト３５内へ取り入れられ、ダンパ３５３が「閉」とされた状態では夏用給気ダクト３５を経由した空気の取り入れは行われないこととなる。
【００３６】
冬用給気ダクト３６は、比較的短尺のダクトであって、天井１２付近において垂直方向に延在する態様で設置されている。該冬用給気ダクト３６は、天井１２側の端部（天井１２面の近傍部位に配向されている上側端部）にエアインテーク３６１を備え、冬季において空調機２０の暖房動作や機械熱等によって生じる滞留暖気が取り入れ可能とされている。一方、冬用給気ダクト３６の下側端部は、送風ファン３１の給気側に連通されている。
【００３７】
同様に、冬用給気ダクト３６の内部には、当該ダクト内部における空気流の遮断を可能とするダンパ３６２が配置されている。従って、ダンパ３６２が「開」とされた状態において、送風ファン３１を稼働させて給気動作が行われると、前記エアインテーク３６１を介して、天井１２付近に滞留している暖気が冬用給気ダクト３６内へ取り入れられ、ダンパ３６２が「閉」とされた状態では冬用給気ダクト３６を経由した空気の取り入れは行われないこととなる。
【００３８】
送風ファン３１の送気側には、送気ダクト３７が取り付けられている。該送気ダクト３７の他端側は、前記供給ダクト３８に連通されており、これにより前記夏用給気ダクト３５若しくは冬用給気ダクト３６から取り入れられた冷気若しくは暖気が、供給ダクト３８を経由して各吹き出しダクト３３へ供給可能とされている。この送気ダクト３７の内部にもダンパ３７１が備えられており、該ダンパ３７１の開閉動作により供給ダクト３８へ向けた送気の制御が可能とされている。
【００３９】
以上のような送風機構３０に加え、当該空調システムＳには、室内空間１００の換気を行う換気機構４０が備えられている。この換気機構４０は、換気ダクト４１、該換気ダクト４１の出口４２に配置された自重シャッタ４３、及び換気ダクト４１内に配置されたダンパ４４とから構成されている。
【００４０】
換気ダクト４１は、天井１２面に対して水平方向に配設され、その一端側が送気ダクト３７の中間部に連通されていると共に、他端側（出口４２）は工場建屋１０の側壁１３に至るようなダクト長とされている。自重シャッタ４３は、前記側壁１３に組み込まれ、換気ダクト４１から送られてくる空気流（風圧）によって開放され、空気流が存在しない場合にはその時自由により閉止される如きシャッタである。また、ダンパ４４は、その開閉動作により換気ダクト３８へ向けた送気の制御を可能とするためのものである。
【００４１】
このような換気機構４０を設ける理由は、空調機２０及び送風機構３０の動作のみで快適な室内空間１００の空調を行うには限界が有るためである。すなわち、夏季においては換気をしないと天井１２付近に熱気が溜まってゆき、いずれ床面１４付近（作業域付近）まで到達し、空調機２０による冷房効果を減殺してしまう。また冬季においては、作業域付近の温度が著しく低下するため、この低温空気を効率的に換気（排気）しないと、空調機２０による暖房効果を減殺することとなるからである。従って、天井１２付近若しくは床面１４付近の温度をセンシングする等して、間欠的に換気を行うようにすることが望ましい。
【００４２】
動作については後記で詳述するが、前記送風機構３０によりスポット領域Ｋへ向けた送風動作が行われるとき（送風モード）は、送気ダクト３７に備えられているダンパ３７１が「開」とされる一方で、換気ダクト４１に備えられているダンパ４４が「閉」とされて送気路が形成される。一方、換気を行う場合（換気モード）は、前記ダンパ３７１が「閉」とされる一方で、ダンパ４４が「開」とされて排気路が形成されるものである。
【００４３】
なお、工場建屋１０の屋根１１と天井１２との間の天井裏空間１０１は、工場内設備で発生される廃熱（暖気又は冷気）の流通路とされており、これにより本空調システムＳがより効率的に稼働できる構成とされている。かかる天井裏空間１０１の廃熱は、側壁１３の上層部に設置された換気ファン１０２及び自重シャッタ１０３を介して屋外に排気されるようになっている。
【００４４】
以上の通り構成された空調システムＳにおいて、前記送風機構３０により発生される空気流の性質は、所定の制御機構により設定・制御される。本実施形態における制御機構は、送風ファン３１の風速制御部（風速設定部）３２と、暖気又は冷気の吹き出しを行うノズル部（の形状設定）とからなる。具体的には、送風ファン３１による発生風量と、ファンネルノズル３４１及び指向性ノズル３４２の空気吐出量、吐出方向、吐出領域等の設定とにより、スポット領域Ｋへ供給する空気流の性質が決定される。
【００４５】
上記風速制御部３２による送風ファン３１の発生風量設定、及びファンネルノズル３４１及び指向性ノズル３４２の形状設定に際しては、スポット領域ＫのＰＭＶ値が考慮される。すなわち、送風機構３０による送風を考慮しない第１の室内環境条件における第１のＰＭＶ値と、スポット領域Ｋへの送風を考慮した第２の室内環境条件における第２のＰＭＶ値とを対比し、前記第１のＰＭＶ値に対する前記第２のＰＭＶ値の改善度合いに基づいて空気流の風速設定（及びノズル形状の設定）がなされる。以下、ＰＭＶ値を考慮した空気流発生条件設定について説明する。
【００４６】
図３は、ＰＭＶ値を考慮した空気流発生条件設定のプロセスを示すフローチャートである。先ず、被空調空間である室内空間１００における所定箇所（送風機構による送風が予定されるスポット領域Ｋ）において、ＰＭＶ値を求めるに際して必要となるＰＭＶパラメータ毎の測定が行われる（ステップＳ１１）。ここで測定対象となるパラメータは、温度、湿度、放射温度、風速、着衣量（クロ値）及び代謝量の６要素である。ＰＭＶ値は、前記６要素により人体の熱収支が決定付けられ、該６要素を所定の予測式（後述のFangerによる予測式）によって得られる暑さ・寒さの予測値だからである。なお、ＰＭＶ計（例えば京都電子工業株式会社、ポータブルＰＭＶ計ＡＭ−１０１）を用い、ＰＭＶ値を直接求めるようにしても良い。
【００４７】
上記６要素は、外気温度（日射量を含む）と相関性を有している（特に気温、湿度、放射温度）ことから、６要素の測定に際しては外気温度の測定も並行して行う。また、計測時期については、暑さ若しくは寒さの最大評価が行えるよう、夏季特性については７月下旬から９月上旬、冬季特性については１２月下旬から２月上旬に実施することが望ましい。
【００４８】
次に、測定した６要素に基づいて、ＰＭＶ値が算出される（ステップＳ１２）。かかる算出は、下記のFangerによる予測式に測定値を代入することで求められる。
ＰＭＶ＝ｆ（Ｍ）・Ｓ
ここで、ｆ（Ｍ）＝０．３０３ｅｘｐ（−０．０３６・Ｍ）＋０．０２８
Ｓ＝Ｍ−（Ｃ＋Ｒ＋Ｅ）−（Ｃｒｅｓ＋Ｅｒｅｓ）
但し、Ｓ：人体の熱収支（Ｗ／ｍ２）
Ｍ：代謝量（Ｗ／ｍ２）
Ｃ：対流放熱量（Ｗ／ｍ２）＝fcl・hc・(tcl-ta)
Ｒ：放射放熱量（Ｗ／ｍ２）＝3.96・10-8・fcl・{(tcl＋273.15)4-(tr＋273.15)4}
Ｅ：蒸発放熱量（Ｗ／ｍ２）＝3.05・(5.73−0.007・M−Pa) ＋0.42・(M−58.15)
Ｃｒｅｓ：呼吸による顕熱放熱量＝0.0014・M・(34−ta)
Ｅｒｅｓ：呼吸による潜熱放熱量＝0.0173・M・(5.87−pa・M)
なお、ｔｃｌ：着衣温度＝ｔｓｋ−０．１５５・Ｉ・（Ｃ＋Ｒ）
ｔｓｋ：皮膚温度＝３５．７−０．０２７５・Ｍ
【００４９】
ＰＭＶ値は、＋３から−３の範囲で表され、プラス側に移行するほど暑さを感じる度合いが大きくなり、マイナス側に移行するほど寒さを感じる度合いが大きくなる。また、ＰＭＶ値がゼロになると、暑さ・寒さを感じないという「どちらでもない」温冷感領域となる。一般的にＰＭＶ値は、±０．５が快適性を感じる理想範囲であり、±０．８４程度が暑さ若しくは寒さについて不快感を持つに至らない許容範囲であるとされる。図４は、それぞれのＰＭＶ値における温冷感及び予測不満足者率の感度分布を示すものである。
【００５０】
上記ＰＭＶ値は、他の温冷感指標とは異なり直接感覚量を示すものであることから、不満足率を容易に予測することができるようＰＰＤ（Predicted  Percentage  Dissatisfied:予測不満足率）値が算出される（ステップＳ１３）。ＰＰＤ値は、各ＰＭＶ値における不満足率を予測したもので、ＰＭＶ値と相関がある。図５に、Fangerによって導かれたＰＰＤ値の計算式と、ＰＭＶ−ＰＰＤ曲線を示す。当該曲線に示す通り、ＰＭＶ値が０であっても、５％の不満足者が存在することが予測されている。なお、ＩＳＯ７７３０においては、ＰＰＤ＜１０％（ＰＭＶ値＝±０．５）が推奨されている。
【００５１】
続いて、上記で求められたＰＭＶ値及び／又はＰＰＤ値に基づいて、ＰＭＶ評価が実施される（ステップＳ１４）。ここでは、送風機構３０による送風を考慮しない第１の室内環境条件における第１のＰＭＶ値、すなわちスポット領域Ｋの現状におけるＰＭＶ値と、スポット領域Ｋへの送風を考慮した第２の室内環境条件における第２のＰＭＶ値、すなわち空気流をスポット領域Ｋへ供給した状況下におけるＰＭＶ値とが対比される。前記第１のＰＭＶ値は、現況値であるので、上記ステップＳ１２で算出されたＰＭＶ値が用いられる。
【００５２】
一方、第２のＰＭＶ値は、実際にスポット領域Ｋへ空気流を供給した状態で求められる（実際には、スポット領域Ｋへ空気流を供給しつつ、上記ステップＳ１１〜ステップＳ１３を実行する）。この場合、空気流の性質（例えば風速）を変えて、複数のデータを取得することが望ましい。なお、第１のＰＭＶ値及び第２のＰＭＶ値は、少なくとも夏季及び冬季の両極季節について取得すれば、年間特性が推定可能となる。
【００５３】
このようなＰＭＶ評価に加え、スポット領域Ｋへ空気流を供給している状態において、空調機２０による冷房又は暖房の設定温度を変化させた場合のＰＭＶ値の変化を確認しておくことが望ましい。例えば夏季においては、所定の空気流をスポット領域Ｋへ与えつつ、空調機２０による空調設定温度を順次変化させて、それぞれの設定温度におけるＰＭＶ値を求めるようにする。これにより、例えば空調設定温度が２０℃のときのＰＭＶ値と、２３℃のときのＰＭＶ値とに実質的な変化が無いことが判明すれば、当該空気流の供給下にあっては、空調設定温度を＋３℃上昇させても同じ空調効果が得られるという診断結果が得られることになる。つまり、所定の条件で空気流を供給すれば、空調機２０による空調設定温度を＋３℃上昇させることができ、その設定温度上昇分につき空調機２０の負荷が軽減でき、省エネルギー化を図ることができることが予測されるものである。
【００５４】
以上のようなＰＭＶ評価のステップを経て、季節に応じた送風機構３０による発生空気流の性質が設定される（ステップＳ１５）。この場合、少なくとも第１の空気流発生条件で送風を行わせる第１の送風モード（本実施形態では夏季モード）と、前記第１の空気流発生条件とは発生条件を異ならせた第２の空気流発生条件で送風を行わせる第２の送風モード（本実施形態では冬季モード）とが設定される。この設定条件に基づいて、図１に示した空調システムＳの場合は、冷気吹き出しダクト３３１及び暖気吹き出しダクト３３２からの空気吹き出し条件が定められる。具体的には、各々の吹き出しダクト３３におけるファンネルノズル（第１の送風ノズル）３４１及び指向性ノズル（第２の送風ノズル）３４２のノズル形状、ノズル高さ、送風ファン３１の運転条件（風速）などが決定され、かかる決定値に基づいて室内空間１００内にノズルが設置される。
【００５５】
このようにして、送風機構３０による空気流発生条件の設定がなされたら、季節要因に応じた空調システムＳの運転（空調機２０の運転、及びファンネルノズル３４１又は指向性ノズル３４２のいずれかからの空気流の供給）が実施される（ステップＳ１６）。この動作については、後記で詳述する。その後、工場内レイアウトの変更等、室内空間１００において大きな環境変化が生じた場合（ステップＳ１７でｙｅｓ）、例えば熱源となるような機械装置等が据え付けられたりライン変更が為されたりした場合、ＰＭＶ値が変化する可能性があるので、再びステップＳ１１〜ステップＳ１５のＰＭＶ診断を実行し、必要に応じて吹き出しダクト３３の設定が変更される。
【００５６】
続いて季節変化が有ったか否かが確認され（ステップＳ１８）、季節変化がない場合（ステップＳ１８でｎｏ）は、そのまま空調システムＳの運転が継続される。一方、季節変化が有った場合は（ステップＳ１８でｙｅｓ）、送風モードの変更が行われる（ステップＳ１９）。具体的には、夏季モードから冬季モードに変更する場合は、空気の吹き出しがファンネルノズル３４１から指向性ノズル３４２へ変更される。また、冬季モードから夏季モードに変更する場合は、空気の吹き出しが指向性ノズル３４２からファンネルノズル３４１へ変更され、空調システムＳの運転が行われる。
【００５７】
次に、送風機構３０を第１の送風モード（夏季モード）、及び第２の送風モード（冬季モード）でそれぞれ運転する場合の動作について説明する。図６は、当該空調システムＳを夏季モードで運転している状態を示す模式図であり、図７は、その運転状態を説明するためのタイムチャートである。
【００５８】
図６に示すように夏季モードにおいては、空調機２０は冷房動作を行うと共に、送風機構３０は、夏用給気ダクト３５が空気（冷気）の取り入れ口となり、各吹き出しダクト３３は冷気吹き出しダクト３３１が空気の吹き出し口となる。従って、夏用給気ダクト３５内のダンパ３５３が「開」とされる一方で、冬用給気ダクト３６内のダンパ３６２は「閉」とされる。そして、送気ダクト３７内のダンパ３７１も「開」とされ、分岐管３４３内の吹出口切替弁３４４は暖気吹き出しダクト３３２側を閉止する状態とされる。
【００５９】
このような空気流路形成により、送風ファン３１が駆動されると、夏用のエアインテーク３５２から空気が取り込まれ、順次夏用給気ダクト３５、送気ダクト３７及び供給ダクト３８を経由し、冷気吹き出しダクト３３１のファンネルノズル３４１からスポット領域Ｋの比較的近傍部位上方から広角的な空気吹き出しが行われる。すなわち、空調機２０の冷房動作によって床面１４付近に生成されている冷気がエアインテーク３５２から取り込まれ、該冷気はロングタイプの冷気吹き出しダクト３３１により室内空間１００上層部の熱気を避けて床面１４近くまで運ばれ、ファンネルノズル３４１から吹き出されることになる。この吹き出しの風速は、上述したＰＭＶ診断により、建物環境を把握した上で決定される。
【００６０】
なお、前記エアインテーク３５２付近に温度計を設置し、エアインテーク３５２からの給気温度が３０℃を超過した場合には、風速制御部３２が送風ファン３１の運転を停止するシーケンスを組み込むことが望ましい。これは、３０℃を超える温度の空気流を人体に吹き付けた場合、熱気を吹き付けているに等しくなって多くの人が不快感を覚えるようになるからである。
【００６１】
換気時においては、冬用給気ダクト３６が空気の取り入れ口となり、換気機構４０の換気ダクト４１が空気の吹き出し口とされる。従って、換気動作を行う場合、冬用給気ダクト３６内のダンパ３６２及び換気ダクト４１内のダンパ４４は「開」とされる一方、夏用給気ダクト３５内のダンパ３５３及び送気ダクト３７内のダンパ３７１は「閉」とされる。これにより、換気動作時においては、天井１２付近に滞留している熱気が冬用インテーク３６１から取り入れられ、換気ダクト４１の出口４２から工場建屋１０の外部へ排気されるものである。なお、この換気動作は、一定時間毎に前記ダンパ群の開閉状態を自動的に切り替える等して、定期的に行わせることが望ましい。
【００６２】
続いて図７のタイムチャートに基づいて、夏季における当該空調システムＳの運用パターンの一例について説明する。まず当該空調システムＳの運転開始時である時刻ｔ１１において、送風機構３０（送風ファン３１）が運転状態とされる。すなわち、送風ファン３１が駆動され、夏用のエアインテーク３５２から空気が取り入れられ、ファンネルノズル３４１からの空気の吹き出しが開始される。これは、空調機２０が稼動する前に、所定の空気流環境を予め形成しておき、効率的に空調機２０の運転を行うためである。以後、送風ファン３１は継続的に運転される。
【００６３】
その後、時刻ｔ１２において空調機２０の運転が開始される。該空調機２０は所定の設定温度（空調温度）が定められており、この設定温度を中心として冷房が効きすぎると感じられる温度（ＰＭＶ下限温度）と、冷房効果が弱い（暑い）と感じられる温度（ＰＭＶ上限温度）とが設定されている。空調機２０は、このＰＭＶ上限・下限温度範囲内に室内空間１００の温度を維持できるよう運転される。
【００６４】
室内温度が設定温度に達した時刻ｔ１３において、空調機２０の運転が停止される。続く時刻ｔ１４において、換気動作が開始される。すなわち、上述の通りダンパ３６２，４４が「開」とされ、ダンパ３５３，３７１が「閉」とされる。そして、所定時間経過後（所定の換気時間経過後）、前記ダンパ群の開閉状態が反転される。以後、このようなダンパ群の開閉切り替えが定期的に行われ、換気が実行される。
【００６５】
室内温度がＰＭＶ上限温度まで上昇した時刻ｔ１５において、空調機２０の運転が再開される。そして、室内温度が設定温度に達した時刻ｔ１６において、空調機２０の運転が再び停止される。以後、時刻ｔ１７で空調機２０の運転再開、時刻ｔ１８で運転停止というように、ＰＭＶ上限・下限温度範囲内に室内空間１００が維持されるよう、同様な動作が繰り返される。
【００６６】
次に、冬季モードによる運転の動作について説明する。図８は、空調システムＳを冬季モードで運転している状態を示す模式図であり、図９は、その運転状態を説明するためのタイムチャートである。
【００６７】
図８に示すように冬季モードにおいては、空調機２０は暖房動作を行うと共に、送風機構３０は、冬用給気ダクト３６が空気（暖気）の取り入れ口となり、各吹き出しダクト３３は暖気吹き出しダクト３３２が空気の吹き出し口となる。従って、冬用給気ダクト３６内のダンパ３６２が「開」とされる一方で、夏用給気ダクト３５内のダンパ３５３は「閉」とされる。そして、送気ダクト３７内のダンパ３７１も「開」とされ、分岐管３４３内の吹出口切替弁３４４は冷気吹き出しダクト３３１側を閉止する状態とされる。
【００６８】
このような空気流路形成により、送風ファン３１が駆動されると、冬用のエアインテーク３６１から空気が取り込まれ、順次冬用給気ダクト３６、送気ダクト３７及び供給ダクト３８を経由し、暖気吹き出しダクト３３２の指向性ノズル３４２からスポット領域Ｋの比較的遠隔部位上方からジェット気流的な空気吹き出しが行われる。すなわち、空調機２０の暖房動作によって天井１２付近に滞留している暖気がエアインテーク３６１から取り込まれ、該暖気は指向性ノズル３４２から吹き出されることになる。このようなジェット気流的な空気吹き出しを行わせることで、室内空間１００上層部に滞留している暖気が前記ジェット気流に誘引されてスポット領域Ｋへ吹き下ろされることとなり、スポット領域Ｋ内の人の体感温度を上昇させることができる。なお、指向性ノズル３４２からの空気吹き出しの風速は、上述したＰＭＶ診断により建物環境を把握した上で決定される。但し、風速を高くする程、人の体温が気流によって放散され寒さを感じさせてしまうことから、微風領域（例えば０．５ｍ／ｓ程度）において風速を選定することが望ましい。
【００６９】
換気時においては、夏用給気ダクト３５が空気の取り入れ口となり、換気機構４０の換気ダクト４１が空気の吹き出し口とされる。従って、換気動作を行う場合、夏用給気ダクト３５内のダンパ３５３及び換気ダクト４１内のダンパ４４は「開」とされる一方、冬用給気ダクト３６内のダンパ３６２及び送気ダクト３７内のダンパ３７１は「閉」とされる。これにより、換気動作時においては、床面１４付近に滞留している冷気が夏用インテーク３５１から取り入れられ、換気ダクト４１の出口４２から工場建屋１０の外部へ排気されるものである。なお、この換気動作は、一定時間毎に前記ダンパ群の開閉状態を自動的に切り替える等して、定期的に行わせることが望ましい。
【００７０】
続いて図９のタイムチャートに基づいて、冬季における当該空調システムＳの運用パターンの一例について説明する。まず当該空調システムＳの運転開始時である時刻ｔ２１において、送風機構３０（送風ファン３１）が運転状態とされる。すなわち、送風ファン３１が駆動され、冬用のエアインテーク３６１から空気が取り入れられ、指向性ノズル３４２からの空気の吹き出しが開始される。これは、空調機２０が稼動する前に、所定の空気流環境を予め形成しておき、効率的に空調機２０の運転を行うためである。以後、送風ファン３１は継続的に運転される。
【００７１】
その後、時刻ｔ２２において空調機２０の運転が開始される。該空調機２０は所定の設定温度（空調温度）が定められており、この設定温度を中心として暖房が効きすぎて暑いと感じられる温度（ＰＭＶ上限温度）と、暖房効果が弱い（寒い）と感じられる温度（ＰＭＶ下限温度）とが設定されている。空調機２０は、このＰＭＶ上限・下限温度範囲内に室内空間１００の温度を維持できるよう運転される。
【００７２】
室内温度が設定温度に達した時刻ｔ２３において、空調機２０の運転が停止される。続く時刻ｔ２４において、換気動作が開始される。すなわち、上述の通りダンパ３５３，４４が「開」とされ、ダンパ３６２，３７１が「閉」とされる。そして、所定時間経過後（所定の換気時間経過後）、前記ダンパ群の開閉状態が反転される。以後、このようなダンパ群の開閉切り替えが定期的に行われ、換気が実行される。
【００７３】
室内温度がＰＭＶ下限温度まで上昇した時刻ｔ２５において、空調機２０の運転が再開される。そして、室内温度が設定温度に達した時刻ｔ２６において、空調機２０の運転が再び停止される。以後、時刻ｔ２７で空調機２０の運転再開、時刻ｔ２８で運転停止というように、ＰＭＶ上限・下限温度範囲内に室内空間１００が維持されるよう、同様な動作が繰り返される。
【００７４】
（第２実施形態）
図１０は、本発明の第２実施形態にかかる空調システムＳＡの構成を模式的に示す図である。なお、図１と同じ符号を付している部分は同一部分を示し、これらの部分については重複を避けるため説明を省略する。この実施形態は、被空調空間である室内空間１００にＰＭＶ値を計測するセンサを配置すると共に、該センサの計測値に基づいて現状のＰＭＶ値を把握するようにし、この計測されたＰＭＶ値に基づいて送風機構３０の動作を制御するようにした実施形態である。すなわち、第１実施形態にあっては予めＰＭＶ評価を行い固定値的なＰＭＶ値を設定した上で送風機構３０の動作を制御するのではなく、ＰＭＶ値を常時計測しながら、その時点におけるＰＭＶ値に応じて送風機構３０の動作を制御するものである。
【００７５】
このため、本実施形態では、スポット領域Ｋの領域内に、ＰＭＶパラメータを測定するための温度・湿度センサ５１及び放射温度センサ５２が配置されている。また、風速制御部３２には、前記温度・湿度センサ５１及び放射温度センサ５２による計測結果や、各種設定値に基づいて現状におけるＰＭＶ値を演算により求めると共に、当該ＰＭＶ値に応じて送風ファン３１の風速を決定する演算を行う演算部３２１が備えられている。なお、スポット領域Ｋの領域内に、前掲のＰＭＶ計を配置するようにし、該ＰＭＶ計の計測結果に基づいて、前記演算部３２１が送風ファン３１の風速決定のみを行うようにしても良い。
【００７６】
上記構成において、温度・湿度センサ５１及び放射温度センサ５２は、スポット領域Ｋの領域内の温度、放射温度及び湿度を常時計測し、その測定値を風速制御部３２の演算部３２１に所定のサンプリングレートで送信する。なお、ＰＭＶパラメータのうちの着衣量及び代謝量については、予め各季節毎の代表的な値を演算部３２１に備えられているメモリ部に入力しておく。
【００７７】
そして、演算部３２１はこれらＰＭＶパラメータに基づいて、現時点における室内空間１００（スポット領域Ｋ）のＰＭＶ値を求める。このＰＭＶ値が、空調機２０及び送風機構３０による空調制御の際の目標ＰＭＶ値とされる。演算部３２１は、この目標ＰＭＶ値に近づくことができるよう、送風機構３０の運転条件の決定、具体的には送風ファン３１の風速を決定する。その後、このようにして決定された所定の空気流が、スポット領域Ｋへ供給されることとなる。
【００７８】
また、その後時間が経過し、気象条件が変化したこと等に伴い温度・湿度センサ５１及び放射温度センサ５２の計測値が変化した場合、新たな目標ＰＭＶ値が設定され、演算部３２１は、この新たな目標ＰＭＶ値に近づくことができるよう、送風ファン３１の風速を決定する。そして、この新たに設定された所定の空気流が、スポット領域Ｋへ供給されるものである。なお、過剰な風速が設定されてしまわないよう、風速についての所定の閾値を演算部３２１に備えられているメモリ部等に記憶させておくことが望ましい。
【００７９】
以上、本発明の一実施形態にかかる空調システムＳについて説明したが、これに限定されるものではなく、例えば下記（１）〜（３）のような態様を採ることができる。
（１）上記実施形態では、ロングタイプの冷気吹き出しダクト３３１とショートタイプの暖気吹き出しダクト３３２とを別個に設置した場合につき説明したが、吹き出しダクト３３としてダクト長さが伸縮可能なものを採用してダクトを一本化しても良い。この場合、空気吹き出しノズル形状が広角及び指向性に変更できるものとすることが望ましい。
【００８０】
（２）上記実施形態では、夏季モードと冬季モードとの２種について設定を行う場合について例示したが、これに加えて春・秋モードを設定するものとし、同様にＰＭＶ診断を行って送風機構３０による空気流供給を行うようにしてもよい。また、酷暑期又は厳冬期用のモードを設定し、通常の夏季・冬季モードとは異なる空気流供給を行うようにしてもよい。
【００８１】
（３）上記実施形態では、工場建屋１０内の室内空間１００を被空調空間とした場合について例示したが、オフィス、スーパーマーケット、劇場等の大規模空間を被空調空間とするものであってもよい。
【図面の簡単な説明】
【００８２】
【図１】工場建屋内における大規模な室内空間に、本発明の第１実施形態にかかる空調システムＳを適用する場合の構成を模式的に示した構成図である。
【図２】吹き出しダクトの要部を示す断面図である。
【図３】ＰＭＶ値を考慮した空気流発生条件設定のプロセスを示すフローチャートである。
【図４】それぞれのＰＭＶ値における温冷感及び予測不満足者率の感度分布を示す表形式の図である。
【図５】Fangerによって導かれたＰＰＤ値の計算式と、ＰＭＶ−ＰＰＤ曲線を示すグラフ図である。
【図６】本発明にかかる空調システムＳを夏季モードで運転している状態を示す模式的に示した構成図である。
【図７】上記夏季モードにおける空調システムＳの運転状態を説明するためのタイムチャートである。
【図８】本発明にかかる空調システムＳを冬季モードで運転している状態を示す模式的に示した構成図である。
【図９】上記冬季モードにおける空調システムＳの運転状態を説明するためのタイムチャートである。
【図１０】工場建屋内における大規模な室内空間に、本発明の第２実施形態にかかる空調システムＳを適用する場合の構成を模式的に示した構成図である。
【符号の説明】
【００８３】
１０    工場建屋
１００  室内空間
２０    空調機
３０    送風機構
３１    送風ファン
３２    風速制御部（風速設定部／空気流の性質を制御する制御機構）
３３    吹き出しダクト
３３１  冷気吹き出しダクト
３３２  暖気吹き出しダクト
３４１  ファンネルノズル（広角的な空気吹き出しを行うノズル）
３４２  指向性ノズル（指向性の高い空気吹き出しを行うノズル）
３５    夏用給気ダクト
３６    冬用給気ダクト
３７    送気ダクト
３８    供給ダクト
４０    換気機構
４１    換気ダクト
３５３、３６２、３７１、４４    ダンパ
Ｓ      空調システム
Ｋ      スポット領域
【図１】
2006125754.tif 000003
【図２】
2006125754.tif 000004
【図３】
2006125754.tif 000005
【図４】
2006125754.tif 000006
【図５】
2006125754.tif 000007
【図６】
2006125754.tif 000008
【図７】
2006125754.tif 000009
【図８】
2006125754.tif 000010
【図９】
2006125754.tif 000011
【図１０】
2006125754.tif 000012